(57)【要約】  本発明は、石油、天然ガス、石炭、核エネルギ、水力エネルギ、地熱エネルギ、バイオマス、太陽光又は風力からの従来の変換とは別の電気機械的反作用によって電気を発生させる、電気的エネルギを作り出すための新規なシステムからなる電気機械式リアクタに関する。このシステムの運用原理は、電気及び運動という２つの互いに異なるエネルギ特性を組み合わせることによって、蓄積した機械的エネルギを電気的エネルギに変換することに基づく。このシステムの基礎原理は、発生した機械的作用及びその反作用を制御することによりエネルギ利得を得ることにある。システムは、局所的電気分配ネットワークと並行して、又はこの分配ネットワークの故障の場合にはバックアップの発電機として作動することができる。外部的な電気供給を使用することのない独立した発電機としてシステムを使用することができ、最初の電力供給及びサイクル起動パルスために必要とされるエネルギは、システムからの生成エネルギによって充電されたままであるバッテリ群によって提供される。移動式発電機として又は１ＭＷよりも低い電力に関して使用されるときには、機械的反作用（減圧）は空気タンクによって得られ、より高い電力の程度に関して使用されるときには、機械的反作用（減圧）は、重りの移動を液圧流れに変換する機械的力変換器と呼ばれる機械的装置によって得られる。このリアクタは、廃棄物を放出することなく電気を発生させることができ、その運用騒音レベルは非常に低く、システムは酸素なしに作動させることができる。
2012527862.tif 000002
【特許請求の範囲】
【請求項１】
２つの異なるエネルギ特性である電気及び運動を組み合わせることによって、蓄積された機械的エネルギを電気的エネルギに変換することを用いることによって特徴付けられた電気的エネルギを生成する方法であって、
システムの基本原理は、作り出された機械的作用とその反作用を制御することによりエネルギ利得を得ることであり、
方法は、２つの蓄電池（バッテリ）群によって始められ、それにより、逆の工程の後に、液圧流体を汲み上げて加圧するモータに交流電流を供給し、
液圧流体の減圧は、電気的回路及びタイマーによって制御され、交流発電機のための原動力を作り出す、
電気的エネルギを生成する方法。
【請求項２】
２つのバッテリ群の再充電及び使用の作用順序を、１つの群を常にシステムのサイクルのために使用可能にしておくためにかつ発電機の作動を確保するために、相互に入れ替える、
請求項１に記載の方法。
【請求項３】
図１の交流発電機（Ｅ１，Ｅ２）に相互接続された図１のモータ（Ａ，Ｄ）のための液圧圧力を供給するシステムを有する、
請求項１及び２に記載の方法。
【請求項４】
電気エネルギを発生させるために、重力を機械的な移動に変換する図４のシステムを有する、
請求項３に記載の方法。
【請求項５】
停止している蓄電池群（ＧＢ１，ＢＧ２）の再充電サイクルの時間が図１のモータ（Ｍ１）のエネルギ消費時間の１４０％よりも長くなるように、再充電サイクルの時間を管理する図２の電子制御ユニットＥＣＵ（１０）を用いることによって特徴付けられる、
請求項１〜４に記載の方法。
【請求項６】
図１に示された空気タンクによって得られる機械的反作用（減圧）を用いるシステムによって特徴付けられる、
請求項１〜５に記載の方法。
【請求項７】
図３及び図４によって示された、重りの移動を液圧流れに変換する機械的な「機械的力変換」装置を使用することによって得られる機械的反作用（減圧）を用いるシステムによって特徴付けられる、
請求項１〜５に記載の方法。
【請求項８】
エネルギと蓄電池（ＧＢ１，ＧＢ２）の制御信号とを分配するものである、ケーブルの敷設及び図２の複数のコネクタ（１）によって形成された電気的レイアウトであって、
蓄電池は、図１のモータ（Ｍ１）を作動させるために交互のサイクルで作動し、
この交互のサイクルにより、図２の蓄電池群（ＧＢ１）は、図１のモータ（Ｍ１）を作動させるのに必要とされるエネルギを供給することができ、
図２の蓄電池群（ＧＢ２）は、交流発電機（Ｅ１，Ｅ２）のために再充電され、フリップフロップタイプである後のサイクルのためのエネルギを貯蓄する、
電気的レイアウトを使用することによって特徴付けられる、
請求項１〜７に記載の方法。
【請求項９】
シリンダ形状であると共に４つの直接的出口及び１つの間接的出口によって分配される０．００７ｍ３（７リットル）の液圧流体の容量を有することによって特徴付けられる図１の流体静力学的流体分配システム（Ｊ２）であって、
図５によって示されているように、間接的出口は、力の分配においてより高度な精度を得るために、内部形状によって平衡が保たれる、
流体静力学的流体分配システムによって特徴付けられる、
請求項１〜５に記載の方法。
【請求項１０】
システムは局所的電気分配ネットワークと並行して作動して、この電気分配ネットワークに補填される電気の質及び量の変動を許容するさらなる発電を確保する能力によって特徴付けられる、
請求項１〜５に記載の方法。
【請求項１１】
局所的電気分配ネットワークの故障の場合に、バックアップ発電システムで作動する能力によって特徴付けられる、
請求項１〜５に記載の方法。
【請求項１２】
外部的な電気供給を使用することのない独立した発電機であって、
最初の電力供給及びサイクル運転パルスために必要とされるエネルギが、システムからのエネルギの発生によって蓄電されたままであるバッテリ群によって提供される、
独立した発電機として作動する能力によって特徴付けられる、
請求項１〜５に記載の方法。
【発明の詳細な説明】
【技術分野】
【０００１】
本発明は、電気的エネルギを発生させる新規なシステムであって、石油、天然ガス、石炭、核エネルギ、水力エネルギ、地熱エネルギ、バイオマス、太陽光又は風力からの従来の変換とは関係なく電気機械的反作用によって電気を発生させる、新規なシステムを説明する。
【背景技術】
【０００２】
「電気機械式リアクタ」と呼ばれるシステムの運用原理は、電気及び運動という２つの互いに異なる特徴を組み合わせることによって、蓄積した機械的エネルギを電気的エネルギに変換することにある。
【発明の概要】
【発明が解決しようとする課題】
【０００３】
このシステムの基本原理は、発生した機械的作用及びその反作用を制御することによって、エネルギ利得を得ることにある。
【課題を解決するための手段】
【０００４】
この方法は、２つの蓄電池（バッテリ）群によって始められ、これらの蓄電池群は、逆の工程の後に、液圧流体を汲み上げて加圧するモータに交流電流を供給する。
【０００５】
液圧流体の減圧は、電子回路及びタイマーによって制御され、それにより、交流発電機のための原動力を作り出す。
【０００６】
２つのバッテリ群の再充電及び使用の作用順序は、１つの群を常にシステムのサイクルのために使用可能にしておくためにかつ発電機の作動を確保するために、相互に入れ替えられる。
【０００７】
システムは局所的電気分配ネットワークと並行して作動して、この電気分配ネットワークに補填される電気の質及び量の変動を許容するさらなる発電を確保することができる。システムはまた、局所的電気分配ネットワークの故障の場合に、発電のバックアップを確保することができる。
【０００８】
外部的な電気供給を使用することなく独立した発電機としてシステムを使用することができ、最初の電力供給及びサイクル運転パルスのために必要とされるエネルギは、システムからのエネルギの発生によって蓄電されたままであるバッテリ群によって提供される。
【０００９】
移動可能な発電機として、又は１０ｋＷ〜１０００ｋＷの電力のために使用されるときには、機械的反作用（減圧）は、空気タンク（図１）によって得られる。
【００１０】
さらに高い程度の電力のために、機械的反作用（減圧）は、重りの移動を液圧流れに変換する機械的な「機械的力変換」装置（図３及び図４）を使用することによって得られる。
【００１１】
ネットワークに接続する場合に、最初のサイクルは、２つの蓄電池群による初期化の後に、交流電流モータによって確保される。
【図面の簡単な説明】
【００１２】
【図１】ＨＹＥＬＰ（流体静力学的電力）発電機の液圧及び空気回路の機械的レイアウト全体を示す図。
【図２】システムを制御するのに必要とされる電気的電子的レイアウトを示す図。
【図３】機械的力変換器を示す図。
【図４】外部荷重システムを示す図。
【発明を実施するための形態】
【００１３】
図１に示すように、ＨＹＥＬＰ電気機械式リアクタは、
０．０７ｍ３（７０リットル）の液圧流体をそれぞれ貯蔵しかつ１０８Ｐａ（１０００ｂａｒ）の圧力よりも大きな力に耐えることができる４つのハイドロニューマチック（ｈｙｄｒｏｐｎｅｕｍａｔｉｑｕｅｓ）シリンダ（１０，１１，１２，１４）と、
１０８Ｐａ（１０００ｂａｒ）よりも高い圧力に耐える能力を有する４つの圧縮空気用タンク（Ｓ，Ｐ，Ｔ，Ｒ）と、
１分あたり０．１２ｍ３（１２０リットル）の流量をそれぞれ有する２つの液圧ポンプ（Ｎ，Ｌ）と、
交流電流電気モータ（Ｍ１）と、
交流電流電気モータ（Ｍ２）と、
約１１０．３２ｋＷ（１５０馬力）を３０００ｒｐｍで供給する能力をそれぞれ有する４つの液圧モータ（Ａ，Ｂ，Ｃ，Ｄ）と、
２つの交流発電機（Ｅ１，Ｅ２）と、２５０ｋＷ／ｈの単相交流電流発電機（Ｇ１）と、２５０ｋＷ／ｈの三相交流電流発電機（Ｇ２）と、
０．３ｍ３（３００リットル）の液圧流体を貯蔵する容量を有する低圧タンク（Ｊ１）と、
液圧液体内に保持された圧縮空気を取り除くようにされたバルブ（Ｋ）と、
液圧流れの方向を決定するソレノイドバルブ（Ｖ１，Ｖ２，Ｖ３，Ｖ４）と、
４つのデジタル空気圧メータ（１Ａ，１Ｂ，１Ｃ，１Ｄ）と、
デジタル液圧メータ（２）と、
４つの制御および流れのメータ（５，６，７，８）と、
高圧回路のためのアナログ圧力ゲージを有する分配タンク（Ｊ２）であって、接続のための溶接部又は継ぎ目のないチューブの３／４がステンレス鋼から作成されている分配タンクと、
４つの分流ソレノイドバルブ（３，４，９，１５）と、
から構成される。
【００１４】
液圧液体が流れる循環のシステムは開回路で作動する。高圧の空気回路は閉回路で作動する。すべてのバルブのセンサは、図２の電子制御モジュールＥＣＵ（１０）によって制御される。
【００１５】
図２によれば、ケーブルの敷設及び複数のコネクタ（１）によって形成された電気的レイアウトは、エネルギと蓄電池（ＧＢ１，ＧＢ２）の制御信号とを分配するものであり、蓄電池は、図１のモータ（Ｍ１）を作動させるために交互のサイクルで作動する。この交互のサイクルにより、図２の蓄電池群（ＧＢ１）は、図１のモータ（Ｍ１）を作動させるのに必要とされるエネルギを供給することができる。図２の蓄電池群（ＧＢ２）は、交流発電機（Ｅ１，Ｅ２）によって再充電され、フリップフロップタイプである後のサイクルのためのエネルギを貯蔵する。
【００１６】
図２の電子制御ユニットＥＣＵ（１０）は、停止している蓄電池群（ＧＢ１，ＢＧ２）の再充電サイクルの時間が図１のモータ（Ｍ１）のエネルギ消費時間の１４０％よりも長くなるように、再充電サイクルの時間を管理する。
【００１７】
システム全体は、図２のマニュアルキー（１６）によって初期化され、マニュアルキーは、図２の継電器（１７）を介して、図２のテーブル（Ｗ）によってプログラムされた図２の電子制御ユニット（１０）のための図２のバッテリ（Ｂ）から１２ボルトエネルギを接続する図２の接触器（１１）を接続する。
【００１８】
図２の電子制御ユニットＥＣＵ（１０）に入れられているフリップフロップシステムは、図２の継電器（１８，１９）によって接続された図２の蓄電池群（ＧＢ１，ＧＢ２）を相互に入れ替える。
【００１９】
図２のコネクタ（２，４，５，６，７，１４，１５）は、図１に示されたバルブ、センサ、モータ及び発電機の間を相互接続するために使用される。
【００２０】
液圧流体のためのポンプシステム全体に関する主モータである図１の交流電流モータ（Ｍ２）は、局所的電気分配ネットワークの電気エネルギを切断すると、非作動状態になる。この場合、図１の直流モータ（Ｍ１）が自動的に引き継ぐ。
【００２１】
ウィンドウズ（登録商標）タイプの環境又は他の現在のコンピュータオペレーティングシステムのソフトウェアに基づいて、図２のコネクタ（１１）によって転送された運用システム（ファームウェア）は、作り出されたエネルギ、運転時間、発電機のシリアルナンバー及び発電機の電子管理を記録する。
【００２２】
図３及び図４によれば、圧力によって図１の出口（１８）からもたらされる液圧流体は、図３の入口（２３）に向かって供給され、図３の液圧ポンプ（１７）及び図３の液圧モータ（１９）において同時に作用し、これにより、図４のスチールケーブル（３９）によって図４の荷重（３５）を上昇させる原動力を作り出す。
【００２３】
液圧流体の戻りは、図１のチューブ（１６）に相互接続された図３のチューブ（２５）によって図１のタンク（Ｊ１）に向けられる。
【００２４】
荷重が頂点に来たときに、図３の電気的接触器（１１）は、図２の電子制御ユニットＥＣＵ（１０）に図２の継電器（１８，１９）を作動させる「オン」情報を送信し、それにより、図２のバッテリ群（ＧＢ１）を主回路から切断すると共に図１の発電機（Ｅ１）に接続し、同時に位置（Ｒ）に通じる図１のバルブ（１５）を作動させて、液圧流れの１００％を図１の液圧モータ（Ａ）に回す。
【００２５】
図４の荷重（３５）の下降が始まり、逆の原動力を図３の液圧モータ（１９）に作り出し、図１の発電機（Ｅ１）に接続された図１の液圧モータ（Ａ）に必要とされる液圧圧力が増加する。
【００２６】
荷重（３５）が図４の高さ４０ｍ（Ａ）及び図４の直径５０ｃｍ（Ｂ）の柱の底部に到達したときに、図３の電気接触器（１１）は、「オフ」情報を図２の電子制御ユニットＥＣＵ（１０）に送信し、それにより、サイクル「Ｂ」を開始し、電気的情報を図２の継電器（１８，１９）に送信し、図２の蓄電池群（ＧＢ１）を再接続し、バルブ（１５）を位置（Ｓ）に再び位置決めして、図２の蓄電池群（ＧＢ２）を切断し、図２の蓄電池群（ＧＢ２）を図１の発電機（Ｅ２）に相互接続して、図１のバルブ（９）を位置（Ｒ）に位置決めする。
【００２７】
電気機械式リアクタは図１の流体静力学的流体分配システム（Ｊ２）を有し、流体分配システムは、シリンダ形状であると共に４つの直接的出口及び１つの間接的出口によって分配される０．００７ｍ３（７リットル）の液圧流体の容量を有することによって特徴付けられる。図５によって示されているような間接的出口は内部形状によって平衡が保たれ、ひいては力の分配においてより高度な精度が得られる。
【図１】
2012527862.tif 000003
【図２】
2012527862.tif 000004
【図３】
2012527862.tif 000005
【図４】
2012527862.tif 000006
【図５】
2012527862.tif 000007
【国際調査報告】
2012527862.tif 000008
2012527862.tif 000009
2012527862.tif 000010
2012527862.tif 000011
2012527862.tif 000012
2012527862.tif 000013